(57)【特許請求の範囲】
【請求項１】
導電金属材料によって形成された一面開口の箱体と、この箱体の内方に設けた照明ランプと、この照明ランプと前記箱体の底面との中間に設けた反射板と、前記開口に導電性を有するルーバーを配したルーバー枠と、商用電源を入力として前記照明ランプを高周波点灯するためのインバータ回路とを備えた照明装置において、前記ルーバー枠は、前記ルーバーの素片端部を狭持する複数の狭持部と係合バネとを備えることにより前記ルーバーから前記係合バネまでを電気的に接続するルーバー接続手段を備え、前記箱体は、前記係合バネと係合するとともに前記箱体に設けられた接地手段に接地用の配線で接続された係合部を備え、前記係合バネと前記係合部とを係合させることにより、前記ルーバーと前記箱体に設けられている接地手段とを、前記箱体を介さずに電気的に接続したことを特徴とする照明装置。
【請求項２】
前記ルーバーは、該ルーバーを構成する素片どうしを噛み合わせによって互いに電気的に接続されることを特徴とする請求項１記載の照明装置。
【請求項３】
前記照明ランプと前記インバータ回路とを接続するランプ接続線は、前記インバータ回路及び平行に配した２本の前記照明ランプのそれぞれの両端のフィラメント間を、通電電流の方向が互いに逆方向となるよう接続したことを特徴とする請求項１記載の照明装置。
【請求項４】
前記反射板を導電性を有するものとして、前記照明ランプ及び前記ランプ接続線によって形成される面に略平行に配したことを特徴とする請求項３記載の照明装置。
【発明の詳細な説明】
【０００１】
【発明の属する技術分野】
本発明は、照明装置に関し、特にインバータ回路によって照明ランプを点灯する照明装置に関する。
【０００２】
【従来の技術】
蛍光灯などの照明ランプを高周波点灯するインバータ回路を備えた照明装置である照明器具において、照明ランプから発生する電磁波ノイズ対策として、例えば、実開昭６１−１７６７１３等に開示されたものがある。
【０００３】
このものは、図８に示すように、導電金属材料によって形成された一面開口の箱体２と、この箱体２の内方に設けた照明ランプ３と、この照明ランプ３と箱体２の底面との中間に設けた反射板４と、前記開口に導電性を有するルーバー５を配したルーバー枠６と、商用電源を入力として照明ランプ３を高周波点灯するための図示しないインバータ回路とを備えている。
【０００４】
この、ルーバー５は、図９に示すように、照明器具１の下方の開口部に取り付けられるルーバー枠６に固着されている導電性を有する材料で形成されたバネ受け具９ａに取り付けられる、導電性を有する材料で形成されて下方へ弾性付勢するバネ９の下端によってその上面が押圧される。そして、係止片９ｂ及び略Ｖ字状を有している係合ばね９ｃを介して箱体２に設けられている係止手段である折曲部２ｄに電気的に接続される。箱体２の底部である上面には接地手段としての図示しない接地端子が一体に設けられており、従って、ルーバー５は、箱体２を介して商用電源の接地端子に接続され、電磁波ノイズの空中への放射が防止するようになっている。
【０００５】
【発明が解決しようとする課題】
ところで、上記のルーバー５とルーバー枠６との電気的な接続は、バネ９の押圧力によって決まるもので、多くは点接触となり不安定なものであった。従って、照明ランプから発生する電磁波ノイズにおいて、高い周波数領域のノイズの低減効果は達成できるものの、５０ＫＨｚから大略１５０ＫＨｚまでの比較的低い帯域の周波数の電界ノイズについては低減効果が発揮できないものであった。そして、照明ランプから発せられる低い帯域の周波数の電界ノイズにより、例えば上記の周波数を利用するワイアレスインターホン装置などの無線通信機器に対して雑音障害を及ぼすことがあった。
【０００６】
本発明は、かかる事由に鑑みてなしたもので、その目的とするところは、照明ランプから発生する電磁波ノイズを効果的に吸収できる照明装置を提供することにある。
【０００７】
【課題を解決するための手段】
上記目的を達成するために、請求項１記載の照明装置は、導電金属材料によって形成された一面開口の箱体と、この箱体の内方に設けた照明ランプと、この照明ランプと前記箱体の底面との中間に設けた反射板と、前記開口に導電性を有するルーバーを配したルーバー枠と、商用電源を入力として前記照明ランプを高周波点灯するためのインバータ回路とを備えた照明装置において、前記ルーバー枠は、前記ルーバーの素片端部を狭持する複数の狭持部と係合バネとを備えることにより前記ルーバーから前記係合バネまでを電気的に接続するルーバー接続手段を備え、前記箱体は、前記係合バネと係合するとともに前記箱体に設けられた接地手段に接地用の配線で接続された係合部を備え、前記係合バネと前記係合部とを係合させることにより、前記ルーバーと前記箱体に設けられている接地手段とを、前記箱体を介さずに電気的に接続している。これにより、ルーバーが直接に接地手段に接続されて接地されるものとなる。
【０００８】
また、請求項２記載の照明装置は、請求項１記載のルーバーは、該ルーバーを構成する素片どうしを噛み合わせによって互いに電気的に接続されることとしている。これにより、ルーバーを構成する素片どうしが多点にて電気的に接続されるものとなる。
【０００９】
また、請求項３記載の照明装置は、請求項１記載の照明装置において、前記照明ランプと前記インバータ回路とを接続するランプ接続線は、前記インバータ回路及び平行に配した２本の前記照明ランプのそれぞれの両端のフィラメント間を、通電電流の方向が互いに逆方向となるよう接続している。これにより、ランプ接続線への通電電流による電磁波ノイズが互いに相殺するものとなる。
【００１０】
また、請求項４記載の照明装置は、請求項３記載の反射板を導電性を有するものとして、前記照明ランプ及び前記ランプ接続線によって形成される面に略平行に配している。これにより、ランプ接続線と照明ランプとの閉ループの通電電流による電磁波ノイズが反射板を介して相殺されるものとなる。
【００１１】
【発明の実施の形態】
以下、本発明の照明装置の一実施の形態を図１乃至図７に基づいて説明する。
【００１２】
図１は、照明装置のルーバー枠を外した状態の下方から見た斜視図である。図２は、図１に示す照明装置の反射板を外した状態の下方から見た斜視図である。図３は、図１に示す照明装置のルーバー接続手段の部分拡大図である。図４は、図１に示す照明装置のルーバー接続手段の斜視図である。図５は、図１に示す照明装置の側面断面図で、（ａ）は全体断面図、（ｂ）はそのルーバー接続手段の部分拡大図である。図６は、図１に示す照明装置の点灯回路を示す回路構成図である。図７は、図１に示す照明装置によるノイズ低減効果比較表である。
【００１３】
この照明装置１は、箱体２と、照明ランプ３と、反射板４と、ルーバー５と、ルーバー枠６と、点灯回路７と、接続ばね８と、を有して形成される。
【００１４】
箱体２は、照明器具本体を形成する一面開口の箱体で、鋼板材料などの導電金属材料により、照明ランプ３を収納できる程度の長さ寸法と、照明ランプ３の所定本数を所定間隔を隔てて収納する幅寸法とを持った略長方形状に形成されている。そして、この長方形状の短辺の内壁に照明ランプ３の給電端子を挿入するランプソケット２ａと、長辺の内壁に後述するルーバー接続手段を形成する係合バネ６ｄを係合する係合金具２ｂと、底面にこの係合金具２ｂと銅箔テープ２ｅによって電気的に接続される接地端子２ｃと、電源端子２ｄとを有している。ランプソケット２ａは、後述する点灯回路７とランプ接続線７ａにより接続され、照明ランプ３に高周波交流電圧を印加する。係合金具２ｂは、係合バネ６ｄのＶ字状の中間部を挿入する切り欠き部２ｂ１と、係合するバネ挿入孔２ｂ２とを有し、銅箔テープ２ｅを上面から押圧するようにして箱体２の内壁に固着されている。
【００１５】
照明ランプ３は、例えば直管の蛍光ランプで、箱体２に設けられたランプソケット２ａに点灯回路７と２本を単位として所定本数接続され、後述する点灯回路７により大略５０ＫＨｚの高周波交流によって点灯される。この照明ランプ３からは、高周波点灯されることによって大略５０ＫＨｚから大略１００ＭＨｚまでの帯域にわたる電磁波ノイズが空中に放出されている。
【００１６】
反射板４は、鋼板材料などの導電性を有する材料により、箱体２の長辺の長さと略等しい長さ寸法でもって短辺と大略等しい幅寸法を有し、表面側に照明ランプ３の光を反射する反射面を設けて形成される。この反射板４は、長辺側に箱体２にネジにより固着されるための雌ねじが刻設され、照明ランプ３と平行の略中間に、後述する点灯回路７とランプソケット２ａとを接続するランプ接続線７ａを配設するための配設溝４ａが形成され、箱体２の内方の大略中間位置に、照明ランプ３及びランプ接続線７ａによって形成される面に略平行に配され固着されている。
【００１７】
ルーバー５は、鋼板などの導電性と磁性とを有する材料により、所定の厚さと所定の幅と後述する箱体２の開口部の長さと略同一の長さ寸法を有し、該厚さと略同一の幅と該幅の大略半分の長さの長手方向に直交する切り欠きを所定間隔で有する長素片５ａと、長素片５ａと同一の厚さと幅と箱体２の開口部の幅と略同一の長さ寸法を有し、長素片５ａと同様の切り欠きを所定間隔で有する短素片５ｂと、を該切り欠きどうしを噛み合わせて組み合わせ、井形状を縦横に連接した形状に形成される。このルーバー５は、ニッケルメッキ処理などによる光沢を表面に有し、照明ランプ３の光の指向性を制限する機能を有するとともに、前記の切り欠きどうしを噛み合わせによって互いに電気的に接続される。
【００１８】
ルーバー枠６は、鋼板などの導電性を有する材料により、箱体２と大略等しい長方形状の開口部６ａと、立壁部６ｂと、開口部６ａの外周に周壁部６ｃとを有して形成される。周壁部６ｃは、箱体２の内周壁に設けられている係合金具２ｂ係合するとともにルーバー接続手段を形成する係合ばね６ｄを有し、ルーバー５の短素片５ｂの両端を載置するための切り欠き部６ｅと、係合バネ６ｄを係止するための係止片６ｇを係合する係合孔６ｆとが形成されている。
【００１９】
また、ルーバー枠６は、接続バネ８を有している。この接続ばね８は、箱体２に設けられている接地手段に相当する接地端子２ｃとを、箱体２を介さずに電気的に接続するルーバー接続手段に相当するもので、ルーバー枠６の立壁部６ｂに並設されている。この接続ばね８は、略Ｌ字状を有する長尺片の立壁部８ａに、ルーバー５の短素片５ｂの端部を狭持するためルーバー枠６の切り欠き部６ｅに対向して形成された折曲部８ｂと、係合孔６ｆに対向して形成された開口部８ｃを形成するよう折曲された折曲部８ｄとを有する。上記のルーバー接続手段は、この接続バネ８と、係合バネ６ｄと、前記係合金具２ｂと、例えば裏面に粘着性を有して適宜前記箱体２の内面に固着可能な銅箔テープ２ｅとを介し、ルーバー５と接地端子２ｃ間を電気的に接続する。
【００２０】
係合バネ６ｄは、黄銅材料など導電性を有してバネ性を有する材料により、箱体２の内周壁に設けられた係合金具２ｂと弾性をもって接触するよう略Ｖ字状を有し、円状部６ｄ１と、箱体２に設けられた係合金具２ｂに係合されるＬ字状の係合部６ｄ２と、を有して形成される。そして、円状部６ｄ１に係止片６ｇを有してルーバー枠６の周壁部６ｃの係合孔６ｆと連結され、係合部６ｄ２にて箱体２とを連結されることによって、ルーバー枠６が箱体２から離脱したときに落下するのを防止するルーバー接続手段としての機能も実現している。
【００２１】
点灯回路７は、大略５０ＫＨｚの高周波交流電圧を出力する蛍光ランプの点灯回路で、箱体２の内方に収納され反射板４にてカバーされる。詳しくは、例えば図６に示す他励式のインバータ点灯回路で、１００または２００Ｖの商用電源電圧を直流に変換して、大略５０ＫＨｚの高周波交流に変換するインバータ回路である。この点灯回路７は、前記照明ランプ３とはランプ接続線７ａによって接続されている。そして、この照明ランプ３とランプ接続線７ａとは大略５０ＫＨｚから１００ＭＨｚの帯域にわたる電磁波ノイズを空中に放出するが、この電磁波ノイズは、反射板を導電性を有するものとするとともに照明ランプ３及び前記ランプ接続線７ａによって形成される面に平行に配し、ランプ接続線７ａを通電電流の方向が互いに逆方向となるよう接続することによって図７のノイズ低減効果比較表に示すように大幅に低減することが出来る。（基本波５０ＫＨｚ及び第２高調波１００ｋＨｚの帯域の電界ノイズに対しては大略４０ｄＢ以上すなわち１／１００以上のノイズ低減効果が確認された。）
照明装置１は、以上の部材で構成され、その組み立ては箱体２に、まず、点灯回路７を取り付け、ランプソケット２ａを箱体２に取り付けた後点灯回路７とランプソケット２ａとを接続するランプ接続線７ａを、図２に示すように、通電電流の方向Ａが互いに逆方向となるよう所定の経路を介して接続する。次いで、反射板４を箱体２にネジにて固着し、ランプ接続線７ａを、配設溝４ａに配設し溝カバー４ｂを図示しない係止手段にて係止する。なお、ランプ接続線７ａは、それぞれのランプ接続線からの電磁波ノイズの空中放射を防止するために適宜撚り合わせた後配設しても良い。そして、照明ランプ３をランプソケット２ａに挿入した後、ルーバー５をルーバー枠６の上方より接続ばね８の折曲部８ｂにてルーバー５の短素片５ｂの端部を狭持するよう載置し、次いで、ルーバー枠６を箱体２の下方開口部から係合バネ６ｄを係合金具２ｂに係合することによって固定する。
【００２２】
以上説明した照明装置１によると、ルーバー５が直接に接地端子２ｃに接続されて接地されるものとなるので、電磁波ノイズのシールド効果が従来のばねにより接続するものに比べてより向上する。また、ルーバー５を構成する長素片５ａ及び短素片５ｂどうしが多点にて電気的に接続されるものとなるので、シールド効果がより確実に発揮される。また、ランプ接続線７ａへの通電電流による電磁波ノイズが互いに相殺するものとなるので、簡単な構成によってランプ接続線から空中へ放射される電磁波ノイズを低下できる。また、ランプ接続線７ａと照明ランプ３との閉ループの通電電流による電磁波ノイズが反射板４を介して相殺されるものとなるので、簡単な構成によって照明ランプから空中へ放射される電磁波ノイズをさらに低下できる。
【００２３】
なお、上記の実施の形態の説明において、照明装置１を、ルーバー接続手段を有し且つランプ接続線を、通電電流の方向が互いに逆方向となるよう接続したものを例示して説明したが、本発明はそのもののみに限定するものでなく、ランプ接続線を設ける形態については如何なるものであっても良い。また、照明ランプを２本を有するものについて説明したが、本発明はそのものに限定するものでなく、例えば４本のものであっても良い。
【００２４】
【発明の効果】
請求項１記載の照明装置は、ルーバーが直接に接地手段に接続されて接地されるものとなるので、電磁波ノイズのシールド効果が従来のばねにより接続するものに比べてより向上する。
【００２５】
また、請求項２記載の照明装置は、請求項１記載のものの効果に加え、、ルーバーを構成する素片どうしが多点にて電気的に接続されるものとなるので、シールド効果がより確実に発揮される。
【００２６】
また、請求項３記載の照明装置は、ランプ接続線への通電電流による電磁波ノイズが互いに相殺するものとなるので、簡単な構成によってランプ接続線から空中へ放射される電磁波ノイズを低下できる。
【００２７】
また、請求項４記載の照明装置は、請求項３記載のものの効果に加え、ランプ接続線と照明ランプとの閉ループの通電電流による電磁波ノイズが反射板を介して相殺されるものとなるので、簡単な構成によって照明ランプ及びランプ接続線から空中へ放射される電磁波ノイズをより低下できる。
【図面の簡単な説明】
【図１】本発明の一実施の形態を示す照明装置のルーバー枠を外した状態の下方から見た斜視図である。
【図２】図１に示す照明装置の反射板を外した状態の下方から見た斜視図である。
【図３】図１に示す照明装置のルーバー接続手段の部分拡大図である。
【図４】図１に示す照明装置の接続手段の斜視図である。
【図５】図１に示す照明装置の側面断面図で、（ａ）は全体断面図、（ｂ）はそのルーバー接続手段の部分拡大図である。
【図６】図１に示す照明装置の点灯回路を示す回路構成図である。
【図７】図１に示す照明装置によるノイズ低減効果比較表である。
【図８】従来例の照明装置の構成図である。
【図９】その要部であるルーバー接続手段の部分拡大図である。
【符号の説明】
１    照明装置
２    箱体
２ｃ  接地端子（接地手段）
３    照明ランプ
４    反射板
５    ルーバー
５ａ  長素片（素片）
５ｂ  短素片（素片）
６    ルーバー枠
７    点灯回路（インバータ回路）
７ａ  ランプ接続線
【図１】
0003814884.tif 000002
【図２】
0003814884.tif 000003
【図３】
0003814884.tif 000004
【図４】
0003814884.tif 000005
【図５】
0003814884.tif 000006
【図６】
0003814884.tif 000007
【図７】
0003814884.tif 000008
【図８】
0003814884.tif 000009
【図９】
0003814884.tif 000010